(57)【特許請求の範囲】
【請求項１】
基板の中央部がＵ字状に切り起こされてなる切り起こし片が前方に９０度折曲されて水平片とされ、該水平片が斜め上方に折曲されて上向き係止片とされ、該上向き係止片の先端が下向きに折曲されて平板部とされており、
基板の前記中央部の左右の部分のそれぞれがＵ字状に切り起こされてなる切り起こし片が前記水平片と略同じ高さ位置で前方に９０度折曲されて別途の水平片とされ、該別途の水平片が斜め下方に折曲されて下向き係止片とされており、
２つの板材が左右方向で接続された姿勢で前記上向き係止片に係止されるとともに、該２つの板材の接合部の垂直方向の隙間が前記中央部の切り起こし片の水平片上に形成されるようになっていることを特徴とする留め付け金具。
【請求項２】
基板の中央部がＵ字状に切り起こされてなる切り起こし片が前方に９０度折曲されて水平片とされ、該水平片が斜め上方に折曲されて上向き係止片とされ、該上向き係止片の先端が下向きに折曲されて平板部とされ、該平板部の下端を裏側斜め上方に折曲して下向き係止片とされており、
２つの板材が左右方向で接続された姿勢で前記上向き係止片に係止されるとともに、該２つの板材の接合部の垂直方向の隙間が前記中央部の切り起こし片の水平片上に形成されるようになっていることを特徴とする留め付け金具。
【請求項３】
前記平板部は、基板に平行な平坦面であることを特徴とする請求項１または２に記載の留め付け金具。
【請求項４】
前記平板部は、その縦断面形状が基板と反対側に膨出した形状であることを特徴とする請求項１または２に記載の留め付け金具。
【請求項５】
前記基板は、留め付けようとする板材を前記下向き係止片の裏面に向けて付勢するための付勢手段を備えていることを特徴とする請求項１ないし４のいずれかに記載の留め付け金具。
【請求項６】
前記基板は、上端縁及び下端縁に裏面側に延出した立ち上がり片を備えることを特徴とする請求項１ないし５のいずれかに記載の留め付け金具。
【発明の詳細な説明】
【０００１】
【発明の属する技術分野】
本発明は外壁板などの板材相互を接合するために用いられる留め付け金具に関する。
【０００２】
【従来の技術】
最近、住宅などの外壁面は需用者の好みに応じて高意匠性のものが求められるようになり、表面柄模様を付与した化粧外壁板が多数上市されている。従来、化粧外壁板は複数枚の板材を縦横に配列してビスや釘などで下地材に固定して外壁を施工していたが、化粧外壁板をビスや釘などで固定すると、該化粧外壁板の化粧表面に傷がついて意匠性が損なわれやすい。そこで、そこで、図６に示すように、基板３１、基板３１に立設した水平片３２と、該水平片３２の先端から斜め上方に折曲した上向き係止片３３Ａと、該水平片３２の先端から斜め下方に折曲した下向き係止片３３Ｂと、を備える留め付け金具３０が提案されている（例えば、特開平９−２０３１８４号公報参照）。
【０００３】
この留め付け金具３０は、図７に示すように、下地材６１に基材３１のビス穴３４を介してビス６２により止着される。接合される建築板である外壁板４０Ａ及び４０Ｂの４周は実部とされ、上辺と一方の側辺にはいわゆる下実が形成され、下辺と他方の策辺には上実が形成される。図７において、接合される上方の外壁板４０Ａの下辺部は上実とされ、下方の外壁板４０Ｂの上辺部は下実とされている。すなわち、上実部は、表面側である上実柄形成部４１と、裏面側である上実取付部４２と、上実柄形成部４１と上実取付部４２との接合部である凹溝部分４３とで形成され、下実部は裏面側に前記上実取付部４２に対向するように形成された下実取付部４４を有している。
【０００４】
そして、先ず、下方の外壁板４０Ｂの下実取付部４４の先端部分を該留め付け金具３０の下側の嵌合部５０Ｂ（基材３１と水平片３２と下向き係止片３３Ｂとで形成される）に嵌合することによって下方の外壁板４０Ｂを下地材６１に固定し、次いで、上方の外壁板４０Ａの上実取付部４２を該留め付け金具３０の上側の嵌合部５０Ａ（基材３１と水平片３２と上向き係止片３３Ａとで形成される）に勘合することによって上方の外壁板４０Ａを下地材６１に固定する。このようにして、上下の外壁板４０Ａ，４０Ｂが接合されるので、外壁板の表面を損傷するおそれはなく、また、留め付け金具３０も外側からは見えず、外観的に非常に好ましいものである。
【０００５】
【発明が解決しようとする課題】
ところで、図８は、上辺部と右側辺部に下実を、下辺部と左側辺部に上実を形成した外壁板４０を表面側（模様を施した側）から見たものであり、上辺側に水平方向の下実取付部４４Ａが、また、右側辺部には上下方向の下実取付部４４Ｂが形成されている。そして、該下実取付部４４Ａ、４４Ｂの表面側には、内側コーナー部から所定距離をおいて、コーキング剤４５Ａ，４５Ｂが打設されている。外壁板４０の下辺部と左辺部における上実を構成する水平方向の上実柄形成部４１Ａと上下方向の上実柄形成部４１Ｂの裏面側にも、内側コーナー部から所定距離をおいて、やはり、コーキング剤が打設される場合もある。
【０００６】
図９は、図８に示す外壁板４０を上下方向に接合した状態を説明する部分斜視図であり、上方の外壁板４０Ａの下辺側の上実と下方の外壁板４０Ｂの下実とが組み合わされて接合されるが、その際に、接合部に水平方向の隙間Ｓ１が形成される。また、上部外壁板４０Ａ及び下部外壁板４０Ｂのそれぞれには、横方向（左右方向）にさらに外壁板が接続されるが、そのときに、その外壁板の左辺側の上実と上方の外壁板４０Ａ（及び下方の外壁板４０Ｂ）の右辺側の下実とが組み合わされ、その接合部には垂直方向の隙間Ｓ２が形成される。そして、図から理解されるように、水平方向の隙間Ｓ１と垂直方向の隙間Ｓ２とは連続した隙間となる。
【０００７】
そのような隙間Ｓ１と隙間Ｓ２には雨水が侵入する。しかし、上方の外壁板４０Ａの下辺側の上実柄形成部４１Ａの裏面に対して下部外壁板４０Ｂの上辺側の下実取付部４４Ａの表面側に打ち込まれたコーキング剤４５Ａが衝接してシール部が形成されるので、水平方向の隙間Ｓ１に入り込んだ雨水が上下方向に迂回して外壁板４０の裏面にまで回り込むのは回避される。同様に、垂直方向の隙間Ｓ２に入り込んだ雨水も横方向に迂回して外壁板４０の裏面に回り込むのは回避される。
【０００８】
一方、隙間Ｓ１に入り込んだ雨水は水平方向に移動していき、前記縦方向の隙間Ｓ２部分に至り、該隙間Ｓ２を下方に流下する。ところで、図７に示すように、外壁板４０の接合部には留め付け金具３０配置されるが、上方の建築板４０Ａの上実取付部４２の傾斜面には留め付け金具３０の上向き係止片３３Ａの内面がほぼ密着しており、縦方向の隙間Ｓ２を流下してくる雨水が前記上側の嵌合部５０Ａの内部に入り込むことはなく（あるとしても極微量である）、上向き係止片３３Ａの上辺を乗り越えてさらに下方に流下し、上向き係止片３３Ａの表面側と下向き係止片３３Ｂの表面側と上部建築板４０Ａの上実柄形成部４１の裏面側とで形成される断面ほぼ三角形をなす空間Ｓａ内に入り込む。
【０００９】
前記のように、上方の外壁板４０Ａの下辺側の上実柄形成部４１Ａの裏面と下部外壁板４０Ｂの上辺側の下実取付部４４Ａの表面とはコーキング剤４５によりシール部が形成されており、そのために、前記のようにして断面ほぼ三角形をなす空間Ｓａ内に入り込んだ雨水はそのまま下流に向けて流下することなく、空間Ｓａ内に一時的に滞留した状態となる。滞留した雨水は空間Ｓａ内を左右方向に移動していき、係止片３３Ａ，３３Ｂの側縁から漏出して、下方の建築板４０Ｂの上辺側の下実取付部４４の表面側に打設された水平方向のコーキング剤４５Ａよりも上部の空間に流出する。上側の嵌合部５０Ａに侵入した雨水も、同様に、係止片３３Ａ，３３Ｂあるいは水平片３２の側縁から漏出して前記空間に流出する。該空間は外壁板４０の裏面側に連通した空間とされており、そこに侵入した雨水は、建築板４０の裏面に回り込んで、建築板を損傷する。
本発明の目的は、従来の留め付け金具において生じる恐れのある上記のような建築板の裏面への雨水の回り込みを積極的に回避することのできる改良された留め付け金具を提供することにある。
【００１０】
【課題を解決するための手段】
上記の課題を解決するための本発明による留め付け金具は、基板と、基板に立設した水平片と、該水平片の先端から斜め上方に折曲した上向き係止片と、該水平片の先端から斜め下方に折曲した下向き係止片と、を備える留め付け金具であって、少なくとも前記上向き係止片の先端は下向きに折曲した平板部とされていることを特徴とする。
【００１１】
上記の構成である本発明による留め付け金具では、前記縦方向の隙間Ｓ２を流下して上向き係止片の先端縁を乗り越えた雨水は、上向き係止片の先端を下向きに折曲して形成された平板部の表面に沿って流下する。該平板部は上部建築板の上実柄形成部の裏面側に接した状態とされており、横方向に広がることなく、左右の建築板の縦方向の接合部に形成される隙間から積極的に表面側に向けて排出される。そのために、水平方向及び垂直方向の隙間から侵入した雨水が建築板の裏側に回り込むことは回避される。
【００１２】
前記平板部は、基板に平行な平坦面であってもよく、その縦断面形状が基板と反対側に膨出した形状であってもよい。後者の場合には、上実柄計西部の裏面側への平板部の接触を一層確実なものとすることができ、雨水の裏面への回り込みはさらに確実に回避される。
好ましい態様において、基板は、留め付けようとする板材を前記下向き係止片の裏面に向けて付勢するための付勢手段を備えていることを特徴とする。それにより、板材と留め付け金具の取り付けを安定化することができる。また、好ましい態様において基板は、上端縁及び下端縁に裏面側に延出した立ち上がり片を備えることを特徴とする。これにより、留め付けた建築板と躯体側の支持体との間に空気流通空間を形成することが容易となり、結露などの発生を容易に阻止することが可能となる。
【００１３】
【発明の実施の形態】
以下、図面を参照して、本発明による留め付け金具の好ましい実施の形態を説明する。
図１は留め付け金具の一実施の形態を示す斜視図であり、この留め付け金具１０は鉄又はステンレススチールのような金属材料で作られており、方形状基板１１の下端縁は裏面側に折曲した立ち上がり片１とされ、上端縁は裏面側に斜めに傾斜した立ち上がり片２及びその先端の水平片３とされている。立ち上がり片２及び水平片３には孔４、５が設けられ、建物の下地材６１への釘止めに利用される。
【００１４】
基板１１の中央部はＵ字状に切り起こされ、該切り起こし片は、最初に前方に９０度折曲されて水平片１２Ａとされ、次ぎに斜め上方に折曲されて上向き係止片１３Ａとされ、次ぎに、上向き係止片１３Ａの先端から下向きに折曲されて平板部１４とされている。前記水平片１２Ａ及び上向き係止片１３Ａは、図６に示した従来の留め付け金具３０における水平片３２と上向き係止片３３Ａと同じ機能を果たす。
【００１５】
基板１１の左右の部分もＵ字状に切り起こされ、該切り起こし片は、前記水平片１２Ａの位置とほぼ同じ高さ位置で前方に９０度折曲されて水平片１２Ｂとされ、次ぎに斜め下方に折曲されて下向き係止片１３Ｂとされている。前記水平片１２Ｂ及び下向き係止片１３Ｂは、図６に示した従来の留め付け金具３０における水平片３２と下向き係止片３３Ｂと同じ機能を果たす。
【００１６】
前記左右の切り起こし部の下方には、付勢手段として機能する横方向に延びる切り起こし片６，６が片持ち状に形成されており、該切り起こし片６，６は下縁６ａよりも上縁６ｂが前方位置となるように捻られている。また、前記中央の切り起こし部の上方には、裏面に向けた凹陥部７が形成されており、底面には孔８が形成されている。凹陥部７の深さは基板１１の立ち上がり片１の高さとほぼ同じとされる。図において、９は基板１１の強度を確保するための凹状溝である。
【００１７】
図２，図３は前記留め付け金具１０を用いて、図８に示した外壁板４０を留め付けた状態を説明する図であり、図７に基づき説明したと同様にして外壁板４０Ａ，４０Ｂが留め付けられる。また、留め付け状態での外壁板４０Ａ，４０Ｂ同志の関係は図９に基づき説明したと同様である。従って、ここでは同じ部材には同じ符号を付すにとどめ、詳細な説明は省略する。
【００１８】
図２に示されるように、この留め付け金具１０では、上向き係止片１３Ａの先端は下向きに折曲されて平板部１４とされており、外壁板４０を留め付けたときに、該平板部１４は、上方の外壁板４０Ａの上実柄形成部４１Ａの裏面に当接した状態となる。そのために、図７で説明したような、断面ほぼ三角形をなす空間Ｓａは形成されないこととなり、左右の外壁板の接合部に存在する垂直方向の隙間Ｓ２を流下してくる雨水は、前記平板部１４を流下しながら、表面側に流出する。そのために、従来の留め付け金具で起こりがちであった係止片近辺での雨水の滞留がなくなり、雨水が外壁板の裏面に回り込むのは確実に回避される。
【００１９】
また、外壁板４０は、付勢手段として機能する横方向に延びる切り起こし片６，６により、下向き係止片１３Ｂの裏面に向けて押圧されており、外壁板４０と留め付け金具１０との取り付けは安定化する。また、該切り起こし片６，６は下縁６ａよりも上縁６ｂが前方位置となるように捻られているので、外壁板４０への留め付け金具１０の差し込みも容易である。さらに、基板１１の上端縁及び下端縁には裏面側に延出した立ち上がり片１、２を備えているので、留め付けた建築板４０と躯体６１側との間に空気流通空間Ｓｃ（図２参照）が形成されるので、外壁板４０の裏面に結露などが発生するのも容易に阻止することができる。
【００２０】
図４は本発明による留め付け金具の他の実施の形態を示す斜視図であり、ここでは、基板１１の中央部に一個のＵ字状に切り起こし片が設けられ、該切り起こし片は、最初に前方に９０度折曲されて水平片１２Ａとされ、次ぎに斜め上方に折曲されて上向き係止片１３Ａとされ、次ぎに、上向き係止片１３Ａの先端から下向きに折曲されて平板部１４とされた後、さらに、該平板部１４の下端を裏側斜め上方に折曲して下向き係止片１３Ｂとされている。他の構成は、図１に示した留め付け金具１０とほぼ同じである。ここで、前記下向き係止片１３Ｂは、図６に示した従来の留め付け金具３０における下向き係止片３３Ｂと同じ機能を果たす。
【００２１】
この留め付け金具の使用態様は、図１に示したものと実質的に同じであり、前記した左右の外壁板の接合部に存在する垂直方向の隙間Ｓ２を流下してくる雨水が外壁板の裏面に回り込むのは同様にして確実に回避される。
【００２２】
図５は、本発明による留め付け金具のさらに他の実施の形態を示す斜視図であり、この留め付け金具１０は、前記左右の切り起こし部の下方を広く切り欠いている。広く切り欠いた結果として、図１に示した留め付け金具での付勢手段として機能する横方向に延びる切り起こし片６，６は形成されないが、基板１１の左右の部分の切り起こし片で形成される水平片１２Ｂと下向き係止片１３Ｂにおける、該下向き係止片１３Ｂの下端側方近辺を内側に一部折曲した部分１３Ｃとすることにより、下向き係止片１３Ｂの強度を増し、外壁板４０と留め付け金具１０との取り付けの安定化を確保している。
【００２３】
さらに、前記中央の切り起こし部の上方に形成した、裏面に向けた凹陥部７はより横方向に長くされており、留め付け金具１０全体の捻れや押圧力に対する耐性を高めている。このようにして、留め付け金具の中央部に近い位置にて釘止めが積極的に行われることによって、従来のように、主として水平片３の部分に釘止めする方法に比べ、大幅な強度アップでもって留め付け金具を胴縁などに固定することが可能となる。その結果、外壁板の保持強度が大幅に向上される。また、横長となった結果として、そこに複数個（図では、３個）の孔８を形成することが可能となり、留め付け金具１０の下地材６１への留め付けの自由度を高めている。また、それにより、先端の水平片３に釘止め用の孔５を設けることが不要となり、加工が容易化される。
【００２４】
この留め付け金具の使用態様も、図１に示したものと実質的に同じであり、前記した左右の外壁板の接合部に存在する垂直方向の隙間Ｓ２を流下してくる雨水が外壁板の裏面に回り込むのは同様にして確実に回避される。  なお、本発明による留め付け金具において、留め付け金具の下地材への取り付けのために留め孔（例えば、図示のものでは、斜めに傾斜した立ち上がり片２及びその先端の水平片３に設けられる孔４、５、及び、凹陥部７に設けられる孔８）の数や形成位置は任意であり、留め付け金具に求められる留め付け強度に応じて適宜定めればよい。また、どの孔を用いて釘打ちするかも任意である。
【００２５】
【発明の効果】
本発明による留め付け金具では、左右の外壁板の接合部の存在する垂直方向の隙間を流下してくる雨水は、留め付け金具部分で確実に表面側に流出する。そのために、従来の留め付け金具で起こりがちであった留め付け金具の係止片近辺での雨水の滞留がなくなり、雨水が外壁板の裏面に回り込むのは回避される。
【図面の簡単な説明】
【図１】本発明による留め付け金具の一実施の形態を示す斜視図。
【図２】図１に示す留め付け金具の使用態様を説明する断面による側面図。
【図３】図１に示す留め付け金具の使用態様を説明する斜視図。
【図４】本発明による留め付け金具の他の実施の形態を示す斜視図。
【図５】本発明による留め付け金具のさらに他の実施の形態を示す斜視図。
【図６】従来の留め付け金具を説明する斜視図。
【図７】図６に示す留め付け金具の使用態様を説明する断面による側面図。
【図８】外壁板の一例を示す斜視図。
【図９】図８に示す外壁板の組み付け状態を説明する図。
【符号の説明】
１０…留め付け金具、１１…基板、１２Ａ、１２Ｂ…基板に立設した水平片、１３Ａ…水平片の先端から斜め上方に折曲した上向き係止片、１３Ｂ…水平片の先端から斜め下方に折曲した下向き係止片、１４…上向き係止片の先端に形成した平板部、６…付勢手段としての切り起こし片
【図１】
0003940510.tif 000002
【図２】
0003940510.tif 000003
【図３】
0003940510.tif 000004
【図４】
0003940510.tif 000005
【図５】
0003940510.tif 000006
【図６】
0003940510.tif 000007
【図７】
0003940510.tif 000008
【図８】
0003940510.tif 000009
【図９】
0003940510.tif 000010